(57)【要約】【課題】現場施工時における投光方向の調整作業を容易にするとともに、機器のコンパクト化を可能にする。【解決手段】２次元可動機構の雲台２０に取り付けられ、一方の垂直面に開口部１１を有する略方形箱形状の筐体１０内部に、それぞれ多数の赤外線ＬＥＤを配列した上部ＬＥＤ基板１２１と下部ＬＥＤ基板１２２からなる面状発光部を設ける。上部ＬＥＤ基板１２１は、その上縁に可視光を発光するレーザポインタが着脱可能であり、且つ筐体１０の内方に回動可能に支承される。下部ＬＥＤ基板１２２は筐体に対して固定保持される。投光方向の調整に際して、上部ＬＥＤ基板にレーザポインタに仮固定し、レーザ光線を大型車および小型車の基準位置に照射して、それぞれ雲台と上部ＬＥＤ基板を調整する。【選択図】図１
2010165578.tif 000002
【特許請求の範囲】
【請求項１】
一方の垂直面に開口部を有する方形箱形状の筐体と、前記筐体の開口部近傍に設けられ、少なくとも一部が回動可能に支承される複数の面状発光体とを具備した車両監視カメラ用投光器であって、
前記筐体は、
水平及び垂直の各方向に回動可能に支承され、
前記面状発光体のうち、前記回動可能に支承される面状発光体は、
可視光を発光するレーザ指示器を着脱可能である、
車両監視カメラ用投光器。
【請求項２】
請求項１に記載の車両監視カメラ用投光器であって、
前記回動可能に支承される面状発光体は、
前記筐体の内方にのみ回動可能である、
車両監視カメラ用投光器。
【請求項３】
請求項１又は２に記載の車両監視カメラ用投光器であって、
前記面状発光体は、
複数の赤外線ＬＥＤを平面状に配列したＬＥＤ基板から構成される、
車両監視カメラ用投光器。
【請求項４】
請求項３に記載の車両監視カメラ用投光器であって、
前記筐体の開口部上方に設けられ、垂直方向に回動可能な第１のＬＥＤ基板と、
前記筐体の開口部下方に設けられ、前記筐体に対して固定された第２のＬＥＤ基板と、
を備える車両監視カメラ用投光器。
【発明の詳細な説明】
【技術分野】
【０００１】
本発明は、路上等において監視カメラで撮像する車両を照明するための車両監視カメラ用投光器に関する。
【背景技術】
【０００２】
路上等において車両のナンバープレートや運転者を撮像する車両監視カメラが知られている。この車両監視カメラは、昼夜を問わず使用されるため、赤外線を発光する発光ダイオード（以下、「ＬＥＤ」と略記する）を光源とした投光器で被写体を照明する。ＬＥＤを光源とした投光器について種々の研究がなされている。例えば、車線内に侵入する車両を検知するためのレーザ反射式車両検知装置が提案されている（特許文献１）。
【０００３】
道路には多様なサイズの車両が走行しており、車両監視カメラによってこれら車両の全てを鮮明に撮像するためには、投光器から照射される光を分散させ、或いは、特定のエリアにおける照度を上げる必要がある。
従来は、光源にレンズ機構を設けて照明光を集中させることにより、特定エリアの照度を上げることが一般的に行われてきたが、そのためには照射エリアを細分化する必要があった。例えば、図４に示すように、略方形箱形状の筐体３０にそれぞれレンズを備えた複数の光源を面状に配列した複数の面状発光部３２１、３２２、３２３を車両のサイズに対応して設けた車両監視カメラ用投光器がある。
【０００４】
面状発光部３２１、３２２、３２３は、筐体内部において回動可能であり、設置時にその投光方向を車両のサイズに合わせて調整する必要がある。そのために、面状発光部３２１、３２２、３２３にそれぞれレーザポインタを仮固定し、対応するサイズの車両にレーザ光線が当たるように、面状発光部３２１、３２２、３２３の角度を調整することが行われる。
【０００５】
しかしながら、面状発光部３２１、３２２、３２３の投光方向を車両のサイズ毎に独立して調整するのは極めて煩瑣であり、設置時において多くの調整作業工数を要するという問題点があった。また、筐体内部において、面状発光部３２１、３２２、３２３それぞれにレーザポインタを仮固定し、回動するための相当の空間を必要とするので、機器のコンパクト化に障害となっていた。
【先行技術文献】
【特許文献】
【０００６】
【特許文献１】特開２００２−２４９８７号公報
【発明の概要】
【発明が解決しようとする課題】
【０００７】
本発明は、前記実情に鑑みてなされたもので、設置時に投光方向を調整するための作業工数を低減できるとともに、機器のコンパクト化が可能な車両監視カメラ用投光器を提供することを目的とする。
【課題を解決するための手段】
【０００８】
本発明は、一方の垂直面に開口部を有する方形箱形状の筐体と、前記筐体の開口部近傍に設けられ、少なくとも一部が回動可能に支承される複数の面状発光体とを具備した車両監視カメラ用投光器であって、前記筐体は、水平及び垂直の各方向に回動可能に支承され、前記面状発光体のうち、前記回動可能に支承される面状発光体は、可視光を発光するレーザ指示器を着脱可能であるものである。
【０００９】
この構成により、機器の設置時に、回動可能な面状発光体にレーザ指示器を仮固定し、回動可能な面状発光体と回動不能な面状発光体の各発光面を同一面とした状態で、筐体を水平及び垂直の各方向に回動してレーザ指示器から発光するレーザを、例えば大型車両に照準し、次いで、回動可能な面状発光体を回動させてレーザ指示器から発光するレーザを、例えば小型車両に照準することにより、少ない調整作業工数であらゆるサイズの車両に対して適切に投光することが可能となる。
【００１０】
また、本発明は、上記の車両監視カメラ用投光器において、前記回動可能に支承される面状発光体は、前記筐体の内方にのみ回動可能であるものを含む。
【００１１】
この構成により、全ての面状発光体が回動可能、且つ、それぞれにレーザ指示器を着脱可能にするものではないので、機器をコンパクトに構成することができる。また、筐体の開口部近傍に前面パネルを設けるような場合であっても、干渉することがないので、機器のコンパクト化が可能となる。
【００１２】
更に、本発明は、上記の車両監視カメラ用投光器において、前記面状発光体は、複数の赤外線ＬＥＤを平面状に配列したＬＥＤ基板から構成されるものを含む。
【００１３】
この構成により、面状発光体をコンパクトに構成することができるとともに、監視カメラによって昼夜を問わず、且つ、運転者に気づかれることなく車両を撮像することができる。
【００１４】
また、本発明は、上記の車両監視カメラ用投光器において、前記筐体の開口部上方に設けられ、垂直方向に回動可能な第１のＬＥＤ基板と、前記筐体の開口部下方に設けられ、前記筐体に対して固定された第２のＬＥＤ基板と、を備えるものを含む。
【００１５】
この構成により、機器の設置時に、第１のＬＥＤ基板にレーザ指示器を仮固定し、第１のＬＥＤ基板と第２のＬＥＤ基板の各発光面を同一面とした状態で、筐体を水平及び垂直の各方向に回動してレーザ指示器から発光するレーザを、例えば大型車両に照準し、次いで、第１のＬＥＤ基板を回動させてレーザ指示器から発光するレーザを、例えば小型車両に照準することにより、少ない調整作業工数であらゆるサイズの車両に対して適切に投光することが可能となる。
【発明の効果】
【００１６】
本発明によれば、設置時に投光方向を調整するための作業工数を低減できるとともに、機器のコンパクト化が可能な車両監視カメラ用投光器を提供できる。
【図面の簡単な説明】
【００１７】
【図１】本発明の実施の形態に係る車両監視カメラ用投光器の外観を示す斜視図
【図２】本発明の実施の形態に係る車両監視カメラ用投光器において、筐体の内部構成を示すブロック図
【図３】本発明の実施の形態に係る車両監視カメラ用投光器の調整作業手順を説明するためのフローチャート図
【図４】従来の車両監視カメラ用投光器の外観を示す斜視図
【発明を実施するための形態】
【００１８】
以下、本発明の実施の形態に係る車両監視カメラ用投光器について、図面を用いて説明する。
【００１９】
図１は、本発明の実施の形態に係る車両監視カメラ用投光器の外観を示す斜視図である。同図に示すように、本実施の形態の車両監視カメラ用投光器１は、一方の垂直面に開口部１１を有する略方形箱形状の筐体１０が２次元可動機構の雲台２０に取り付けられた構成である。
【００２０】
開口部１１近傍の筐体１０内部には、後述する面状発光部１２の上部ＬＥＤ基板１２１及び下部ＬＥＤ基板１２２が設けられ、上部ＬＥＤ基板１２１及び下部ＬＥＤ基板１２２の表面で発光した光が開口部１１を介して不図示の監視カメラによる撮像方向に照射される。
【００２１】
図２は、本発明の実施の形態に係る車両監視カメラ用投光器の筐体１０の内部構成を示すブロック図である。図２において、本実施の形態の車両監視カメラ用投光器１は、面状発光部１２と制御部１３、及び電源部１４を有する構成である。
【００２２】
面状発光部１２は、上部ＬＥＤ基板１２１及び下部ＬＥＤ基板１２２から構成されている。
【００２３】
上部ＬＥＤ基板１２１は、基板の表面に特定の波長領域で発光する多数の赤外線ＬＥＤ１００を、例えば千鳥格子状に密に配列して構成されている。この上部ＬＥＤ基板１２１は、矢印で示すように、支軸１２４によって筐体１０の内方に回動可能に支承されている。
【００２４】
また、上部ＬＥＤ基板１２１はその上縁に、可視光、例えば黄緑色の光を発光するレーザポインタ１２３が着脱可能である。
【００２５】
下部ＬＥＤ基板１２２は、上部ＬＥＤ基板１２１と同様に、基板の表面に多数の赤外線ＬＥＤ１００が配列されている。この下部ＬＥＤ基板１２２は、筐体１０に対して不図示の保持部材によって固定されている。
【００２６】
制御部１３は、外部から供給される同期信号に基づいて、上部ＬＥＤ基板１２１及び下部ＬＥＤ基板１２２を監視カメラが必要とする輝度で連続、又は間欠点灯するよう制御する。
【００２７】
電源部１４は、赤外線ＬＥＤ１００を点灯するための電源を生成して制御部１３に供給する。
【００２８】
次に、このように構成された本発明の実施の形態に係る車両監視カメラ用投光器を、ＥＴＣゲートに設置する場合を例にして、その投光方向を調整する作業手順を説明する。図３は、車両監視カメラ用投光器の投光方向の調整作業手順を説明するためのフローチャートである。
【００２９】
車両監視カメラ用投光器１は、面状発光部１２の上部ＬＥＤ基板１２１及び下部ＬＥＤ基板１２２が同一面上に保持された状態で雲台２０を介してポール等の取付用構造物に設置される。
【００３０】
まず、ステップＳ１０１において、筐体１０からカバーを取り外し、上部ＬＥＤ基板１２１及び下部ＬＥＤ基板１２２等筐体１０の内部を開放する。
【００３１】
次いで、上部ＬＥＤ基板１２１上方の所定位置にレーザポインタ１２３を仮固定し（ステップＳ１０２）、レーザ光の放射を開始する（ステップＳ１０３）。なお、このとき上部ＬＥＤ基板１２１の照射光の光軸と、レーザポインタ１２３から放射されるレーザの光軸は一致している。
【００３２】
ステップＳ１０４では、ＥＴＣレーンにおける大型車の所定の基準位置にレーザ光が当たるように、雲台２０を垂直および水平方向に動かして調整し、定まったところでねじ等により雲台２０を固定する（ステップＳ１０５）。
【００３３】
続いて、レーザ光線が小型車の所定の基準位置に当たるように、上部ＬＥＤ基板１２１を筐体１０の内方に傾けて調整する（ステップＳ１０６）。
【００３４】
調整が終わると上部ＬＥＤ基板１２１を固定し（ステップＳ１０７）、次いでレーザポインタ１２３のレーザ光放射を停止する（ステップＳ１０８）。
【００３５】
次いで、上部ＬＥＤ基板１２１からレーザポインタ１２３を取り外し（ステップＳ１０９）、更に、筐体１０のカバーを取り付けて（ステップＳ１１０）、投光方向の調整作業を終了する。
【００３６】
このような手順で調整作業を行うことによって、ＥＴＣゲートを通過する大型車から小型車に至るあらゆるサイズの車両に適切に照射光を投光することができ、監視カメラで車両を鮮明に撮像することが可能となる。
【００３７】
以上説明したように、このような本発明の実施の形態に係る車両監視カメラ用投光器によれば、２次元可動機構の雲台に取り付けられ、一方の垂直面に開口部を有する略方形箱形状の筐体内部に、それぞれ多数の赤外線ＬＥＤを配列した上部ＬＥＤ基板と下部ＬＥＤ基板からなる面状発光部を設ける。上部ＬＥＤ基板は、その上縁に可視光を発光するレーザポインタが着脱可能であり、且つ、筐体の内方に回動可能に支承される。また、下部ＬＥＤ基板は筐体に対して固定保持される。
【００３８】
投光方向の調整に際して、上部ＬＥＤ基板にレーザポインタに仮固定し、レーザ光線を大型車および小型車に照射し、それぞれ雲台と上部ＬＥＤ基板を回動させて調整することにより、あらゆるサイズの車両に対して、面状発光部で発光した赤外線光を適切に照射することができる。
【符号の説明】
【００３９】
１  車両監視カメラ用投光器
１０  筐体
１１  開口部
１２  面状発光部
１２１  上部ＬＥＤ基板
１２２  下部ＬＥＤ基板
１２３  レーザポインタ
１３  制御部
１４  電源部
２０  雲台
１００  ＬＥＤ
【図１】
2010165578.tif 000003
【図２】
2010165578.tif 000004
【図３】
2010165578.tif 000005
【図４】
2010165578.tif 000006